(57)【特許請求の範囲】
【請求項１】
車両用の後部窓ガラスに複数本の加熱用導電線条とその両端に接続されるバスバーを設け、前記加熱用導電線条余白部に設けられたアンテナ線条を具備するとともに、前記バスバーにチョークコイルを介して直流電源を接続し、前記チョークコイルとバスバーの間に、超短波帯域で誘導性となるインダクタンスを有する一対の高周波コイルを挿入したガラスアンテナシステムにおいて、前記高周波コイルと前記チョークコイルの接続点とボディの間に、超短波帯域で高周波電力をバイパスするような一対のコンデンサーを接続するとともに、一対のコンデンサーの片側をそれぞれ金属ボディに接地するようにし、該一対のコンデンサーの静電容量を１０ｐＦ以上１００ｐＦ以下としたことを特徴とする車両用のガラスアンテナシステム。
【発明の詳細な説明】
【０００１】
【発明の属する技術分野】
本発明は車両用の後部窓ガラスに加熱用の導電線条とともに、アンテナ用の導電線条を設け、アンテナ用の導電線条と加熱用の導電線条をともにアンテナとして利用した車両用のガラスアンテナシステムに関する。
【０００２】
【従来の技術】
近年、ＡＭ、ＦＭなどのラジオ放送波、ＴＶ放送波を受信するための車両用ガラスアンテナが要望されるようになり、車両用後部窓ガラスに加熱用の導電線条とともに、アンテナ用の導電線条が広く使用されているが、このアンテナは加熱用の導電線条の上部あるいは下部余白部に設けるものであるから、占有面積がどうしても小さくならざるを得ず、受信利得を高くすることが困難であり、しかも車体に接近せざるをえず、受信した電波が車体に漏洩したり、加熱用の給電ラインを通じてアース側、直流電源側などに漏洩してしまう。
【０００３】
受信利得を高くするために、前置増幅器などを受信機とアンテナ給電部の間に挿入していたが、コストが上がり、しかも強電界中では混変調などが発生するため前置増幅器を使用せずに、受信可能なアンテナが模索されており、そのひとつとして図２に示すように、バスバー４１、４２とチョークコイル６の間に所望の周波数帯域で誘導性となるインダクタンスを有する一対の高周波コイル７１、７２を挿入して、給電部２１を介してアンテナ線条２によりＦＭラジオ放送波など超短波帯を受信するときにバスバー４１、４２を含む加熱用の導電線条３と金属車体の間の静電容量と作用してバスバーとボディの間のインピーダンスを高くすることにより、加熱用の導電線条にした高周波電力がボディに漏洩するのを抑制する方法を、本出願人も特願平６−３２７３０９号などとして提案している。
【０００４】
また、一対の高周波コイルと加熱用導電線条の間にチョークコイルを挿入してチョークコイルとそれぞれの高周波コイルの接続点を短絡するコンデンサーを挿入した特開平２−３１１００２号が提案されている。
【０００５】
【発明が解決しようとする課題】
しかしながら、ＡＭラジオ放送波帯の受信感度を改善するために供用されるチョークコイルは、ＦＭラジオ放送波などの超短波帯においては、ストレーキャパシタンスの効果が大きくなり、もはや誘導性ではなく容量性として作用することはよく知られている。
【０００６】
このため、加熱用導電線条のバスバーとボディの間のインピーダンスを高くするために挿入する一つの高周波チョークコイルの定数は高くならざるを得ず、また所望する帯域において充分にバスバーとボディの間のインピーダンスを高くすることができない。
【０００７】
また、特開平２−３１１００２号の場合のチョークコイルのストレーキャパシタンスは、コイル巻き線の線間の容量に基づくものであり、それぞれのコイルが製作上のばらつきなどによりその値がばらつき制御不能であり、その結果バスバーとボディ間のインピーダンスがばらつき、充分な受信感度が得られない。
【０００８】
そこで、本発明者らは、前記高周波チョークコイルとバスバーの間に、所望の周波数帯域で誘導性となるインダクタンスを有する一対の高周波コイルを挿入したガラスアンテナシステムにおいて、前記高周波コイルと前記チョークコイルの接続点とボディの間に所望の周波数帯域で高周波電力をバイパスするように、一対のコンデンサーを挿入すれば、前記チョークコイルのＦＭ帯あるいは超短波帯での容量性としての作用を無視することができることを見いだしたものであり、受信感度を向上させ、前置増幅器を不要とするアンテナシステムを提供することを目的とする。
【０００９】
【課題を解決するための手段】
本発明は、車両用の後部窓ガラスに複数本の加熱用導電線条とその両端に接続されるバスバーを設け、前記加熱用導電線条余白部に設けられたアンテナ線条を具備するとともに、前記バスバーにチョークコイルを介して直流電源を接続し、前記チョークコイルとバスバーの間に、超短波帯域で誘導性となるインダクタンスを有する一対の高周波コイルを挿入したガラスアンテナシステムにおいて、前記高周波コイルと前記チョークコイルの接続点とボディの間に、超短波域で高周波電力をバイパスするような一対のコンデンサーを接続するとともに、一対のコンデンサーの片側をそれぞれ金属ボディに接地するようにし、該一対のコンデンサーの静電容量を１０ｐＦ以上１００ｐＦ以下としたことを特徴とするものであり、このようにすることにより、ＦＭラジオ放送波などの超短波帯を受信するときには、一対のコンデンサーの静電容量が加熱用導電線条と金属ボディ間の静電容量より大きく、インピーダンスが無視し得る程小さいので、高周波コイルとチョークコイルの間において、すなわち１対の高周波コイルの片側をバイパスコンデンサーが短絡することになり、加熱用導電線条と金属ボディ間の静電容量（Ｃ）と高周波コイルのインダクタンス（Ｌ）の並列回路を構成し、チョークコイルなどの特性に関係なく並列共振の条件を安定的に求めることができる。
【００１０】
【発明の実施の形態】
車両用の後部窓ガラスに複数本の加熱用導電線条とその両端に接続されるバスバーは後述する実施例に述べるように片側を二つに分割して形成したコ字形状以外にも、両側に給電部を設けたものでもよい。
【００１１】
また、ガラスアンテナは、実施例に述べるように加熱用導電線条上部余白部に設けたもの以外にも、下部余白部に設けたものでも勿論よく、アンテナパターンは実施例以外にも、各種のパターンを採用することができる。
【００１２】
一対のコンデンサーはその静電容量を加熱用導電線条と金属ボディとの間の静電容量より相対的に大きな値１０ｐＦ以上にする必要があるが、大きすぎるとＡＭラジオ放送波の受信感度が低下するので、１００ｐＦ以下とする必要があり、好ましくは３０ｐＦ〜６０ｐＦの範囲で適宜選択すればよく、必ずしも特性値を等しくする必要はない。
【００１３】
一対のコンデンサーの金属ボディへの接地は、図１に示すようにそれぞれのコンデンサーの片側同士を接続した導電線条から引き出して接地してもよいが、実際にはそれぞれの片側を近くの金属ボディに接続する方が作業性がよく好ましい。
【００１４】
特にバスバーが加熱用導電線条に配設され、給電も両側から行うような場合に効果的である。
また、実施例ではＡＭラジオ放送波とＦＭラジオ放送波を受信する例で説明したが、ＦＭラジオ放送波の代わりにＴＶ放送波を受信するアンテナにも勿論応用することができる。
【００１５】
【実施例】
以下、図面を参照しながら本発明を詳細に説明する。
図１は本発明のガラスアンテナシステムを示す要部概略図、図２は従来のアンテナシステムを示す要部概略図、図３は本発明のアンテナシステムと従来のアンテナシステムによってＦＭラジオ放送波を受信したときのダイポール比で測定した受信感度を示す周波数特性図であり、▲１▼が本発明のアンテナ、▲２▼が従来のアンテナを示す。
【００１６】
図１に示すように、車両用の後部窓ガラスを構成する板ガラス１の車内側に、アンテナ用の導電線条２、アンテナの給電部２１、複数本の加熱用導電線条３、加熱用導電線条の一方の片側に接続される２分割された給電用のバスバー４１、４２、他方の片側に接続されるバスバー４３を、導電ペーストによりスクリーン印刷、焼成して形成する。
【００１７】
このようにアンテナ線条と加熱用導電線条がプリントされた板ガラス１を車両用の後部窓ガラスとして開口部に装着した後、加熱用ラインとして直流電源５から、インダクタンスが１ｍＨ〜１．５ｍＨなるチョークコイル６、インダクタンスが０．２μＨなる高周波コイル７１、７２を介してバスバー４１、４２に給電されるが、本発明ではさらにチョークコイル６と高周波コイル７１、７２の間に静電容量が３３ｐＦの一対のコンデンサー８１、８２を接続し、コンデンサーの他端を近接した金属ボディに接続する。
【００１８】
このようにして得られたガラスアンテナシステムによりＡＭラジオ放送波とＦＭラジオ放送波を受信すると、ＡＭラジオ放送波受信時には、バスバー４１、４２を含む加熱用導電線条３とボディ間の静電容量とチョークコイル６のインダクタンスが作用し、バスバーとボディ間のインピーダンスを高くするためＡＭ帯受信感度が向上する。
【００１９】
一方、ＦＭラジオ放送波を受信するときにはチョークコイル６と高周波コイル７１、７２の接続点とボディの間に取り付けられたコンデンサー８１、８２の作用によりチョークコイル６の部分はバイパスされるためバスバー４１、４２を含む加熱用導電線条とボディの間の静電容量と高周波コイルのインダクタンスのみが作用しバスバーとボディ間のインピーダンスを高くするためＦＭラジオ放送波などの超短波帯の受信感度（図３の▲１▼）を図２に示す従来のアンテナシステムで受信したときの感度（図３の▲２▼）と比較するとほとんどの帯域で向上しており、特に８０ＭＨｚから９５ＭＨｚの範囲では大幅に向上していることがわかる。
【００２０】
しかも全帯域にわたり受信感度が高く、前置増幅器がなくても受信可能である。
【００２１】
【発明の効果】
本発明のガラスアンテナシステムは、ＡＭラジオ放送波などの中波、ＦＭラジオ放送波などの超短波帯を受信するときに、車体への漏洩電流を抑制して前置増幅器を不用とすることができるものである。
【図面の簡単な説明】
【図１】本発明のガラスアンテナシステムを示す要部概略図である。
【図２】従来のガラスアンテナシステムを示す要部概略図である。
【図３】本発明のアンテナシステムと従来のアンテナシステムによってＦＭラジオ放送波を受信したときのダイポール比で測定した受信感度を示す周波数特性図であり、▲１▼が本発明のアンテナ、▲２▼が従来のアンテナを示す。
【符号の説明】
１          板ガラス
２          アンテナ用の導電線条
２１        給電部
３          加熱用導電線条
４１〜４３      バスバー
５          直流電源
６          チョークコイル
７１、７２      一対の高周波コイル
８１、８２    一対のコンデンサー
【図１】
0003541993.tif 000002
【図２】
0003541993.tif 000003
【図３】
0003541993.tif 000004